(57)【要約】【課題】個別チャネルの切り替え時間を短縮できるチャネル切り替え方法及び移動通信システムを提供する。【解決手段】通信開始時、基地局制御局からチャネル切り替え前の個別チャネルのパラメータとチャネル切り替え後の個別チャネルのパラメータとを無線基地局及び移動局にそれぞれ送信し、無線基地局及び移動局にそれぞれ登録する。移動局は、基地局制御局からチャネル切り替え指示を受信すると、予め登録されたチャネル切り替え後の個別チャネルのパラメータを用いて上り通信用及び下り通信用のチャネルを直ちに切り替える。無線基地局は、基地局制御局からチャネル切り替え指示を受信すると、予め登録されたチャネル切り替え後の個別チャネルのパラメータを用いて下り通信用及び上り通信用のチャネルを直ちに切り替える。【選択図】図１
2007214637.tif 000002
【特許請求の範囲】
【請求項１】
移動局と無線基地局間で無線通信のために用いる個別チャネルを切り替えるためのチャネル切り替え方法であって、
個別チャネルによる通信開始時、基地局制御局からチャネル切り替え前の個別チャネルのパラメータとチャネル切り替え後の個別チャネルのパラメータとを前記無線基地局及び前記移動局にそれぞれ送信し、
前記無線基地局及び前記移動局が、前記基地局制御局から送信されたチャネル切り替え前の個別チャネルのパラメータ及びチャネル切り替え後の個別チャネルのパラメータをそれぞれ登録し、
前記移動局が、前記基地局制御局からチャネル切り替え指示を受信すると、予め登録されたチャネル切り替え後の個別チャネルのパラメータを用いて上り通信用及び下り通信用のチャネルを直ちに切り替え、
無線基地局が、前記基地局制御局からチャネル切り替え指示を受信すると、予め登録されたチャネル切り替え後の個別チャネルのパラメータを用いて下り通信用及び上り通信用のチャネルを直ちに切り替えるチャネル切り替え方法。
【請求項２】
移動局と無線基地局間で無線通信のために用いる個別チャネルを切り替えるためのチャネル切り替え方法であって、
個別チャネルによる通信開始時、基地局制御局からチャネル切り替え前の個別チャネルのパラメータとチャネル切り替え後の個別チャネルへの切り替わりを検出するための切替検出情報とを前記無線基地局及び前記移動局にそれぞれ送信し、
前記無線基地局及び前記移動局が、前記基地局制御局から送信されたチャネル切り替え前の個別チャネルのパラメータ及び前記切替検出情報とをそれぞれ登録し、
前記基地局制御局からチャネル切り替え後に用いる個別チャネルのパラメータを前記無線基地局及び前記移動局にそれぞれ送信し、
前記移動局が、前記基地局制御局からチャネル切り替え指示を受信すると、切り替え後の個別チャネルのパラメータを用いて上り通信用のチャネルを直ちに切り替え、前記切替検出情報を切り替え後の上り通信用の個別チャネルを示す値に切り替えて前記無線基地局へ送信し、
無線基地局が、前記移動局から送信された前記切替検出情報により前記上り通信用のチャネルの切り替わりを検出すると、予め登録された切り替え後の個別チャネルのパラメータを用いて下り通信用及び上り通信用のチャネルを直ちに切り替え、前記切替検出情報を切り替え後の下り通信用の個別チャネルを示す値に切り替えて前記移動局へ送信し、
前記移動局は、前記無線基地局から送信された前記切替検出情報により前記下り通信用のチャネルの切り替わりを検出すると、予め登録された切り替え後の個別チャネルのパラメータを用いて下り通信用のチャネルを直ちに切り替えるチャネル切り替え方法。
【請求項３】
前記切替検出情報は、
ＴＦＣＳ情報である請求項２記載のチャネル切り替え方法。
【請求項４】
個別チャネルによる通信開始時に送信されたチャネル切り替え前の個別チャネルのパラメータ及びチャネル切り替え後の個別チャネルのパラメータをそれぞれ登録し、チャネル切り替え指示を受信すると、予め登録された切り替え後の個別チャネルのパラメータを用いて上り通信用及び下り通信用のチャネルを直ちに切り替える移動局と、
個別チャネルによる通信開始時に送信されたチャネル切り替え前の個別チャネルのパラメータ及びチャネル切り替え後の個別チャネルのパラメータをそれぞれ登録し、チャネル切り替え指示を受信すると、予め登録された切り替え後の個別チャネルのパラメータを用いて下り通信用及び上り通信用のチャネルを直ちに切り替える無線基地局と、
個別チャネルによる通信開始時、チャネル切り替え前の個別チャネルのパラメータとチャネル切り替え後の個別チャネルのパラメータとをそれぞれ前記移動局及び前記無線基地局へ送信し、前記移動局及び前記無線基地局へ前記チャネル切り替え指示を送信する基地局制御局と、
を有する移動通信システム。
【請求項５】
個別チャネルによる通信開始時に送信されたチャネル切り替え前の個別チャネルのパラメータ及びチャネル切り替え後の個別チャネルへの切り替わりを検出するための切替検出情報をそれぞれ登録し、切り替え後の個別チャネルのパラメータ及びチャネル切り替え指示を受信すると、該パラメータを用いて上り通信用のチャネルを直ちに切り替え、前記切替検出情報を切り替え後の上り通信用の個別チャネルを示す値に切り替えて送信し、受信した前記切替検出情報により前記下り通信用のチャネルの切り替わりを検出すると、チャネル切り替え後の個別チャネルのパラメータを用いて下り通信用のチャネルを直ちに切り替える移動局と、
個別チャネルによる通信開始時に送信されたチャネル切り替え前の個別チャネルのパラメータ及び前記切替検出情報をそれぞれ登録し、前記移動局から送信された前記切替検出情報により前記上り通信用のチャネルの切り替わりを検出すると、予め登録された切り替え後の個別チャネルのパラメータを用いて下り通信用及び上り通信用のチャネルを直ちに切り替え、前記切替検出情報を切り替え後の下り通信用の個別チャネルを示す値に切り替えて前記移動局へ送信する無線基地局と、
個別チャネルによる通信開始時、チャネル切り替え前の個別チャネルのパラメータとチャネル切り替え後の個別チャネルへの切り替わりを検出するための切替検出情報とを前記無線基地局及び前記移動局にそれぞれ送信し、前記移動局へ前記チャネル切り替え指示を送信すると共に、前記チャネル切り替え指示の送信直前に、チャネル切り替え後の個別チャネルのパラメータを前記無線基地局及び前記移動局にそれぞれ送信する基地局制御局と、
を有する移動通信システム。
【請求項６】
前記切替検出情報は、
ＴＦＣＳ情報である請求項５記載の移動通信システム。
【発明の詳細な説明】
【技術分野】
【０００１】
本発明は、移動局と無線基地局間で無線通信のために用いる個別チャネルを切り替えるためのチャネル切り替え方法及びそれを用いる移動通信システムに関する。
【背景技術】
【０００２】
図５は移動通信システムの一般的な構成を示すブロック図である。
【０００３】
図５に示すように、移動通信システムは、ユーザが使用する移動局３と、移動局３と無線通信を行う無線基地局２と、管轄区域内の無線基地局２と有線回線を介して接続される基地局制御局１とを有する構成である。図５では、移動通信システムが１台の無線基地局２と１台の移動局３のみ備えた構成を示しているが、基地局制御局１は管轄区域内の複数の無線基地局２を管理しており、無線基地局２は自セル内に存在する複数の移動局３と無線通信が可能である。
【０００４】
基地局制御局１は、移動局３毎の無線通信に用いる個別チャネル（物理チャネル及び論理チャネル）のパラメータを無線基地局２へ送信する制御部１１を備えている。また、制御部１１は、移動局３と無線基地局２間で無線通信のために用いる個別チャネルのパラメータを、無線基地局２を介して各移動局３へ送信する。
【０００５】
無線基地局２は、基地局制御局１から送信されたパラメータを用いて各移動局３で使用する個別チャネル毎の送信データの符号化及び受信データの復号を行うデータ符号化・復号化部２２と、各移動局３で用いる個別チャネル毎の送信データの変調及び受信データの復調を行う変復調部２３と、基地局制御局１から送信された各移動局３の個別チャネル毎のパラメータをデータ符号化・復号化部２２にそれぞれ登録・設定する制御部２１とを備えている。
【０００６】
移動局３は、基地局制御局１から送信されたパラメータを用いて送信データの符号化及び受信データの復号を行うデータ符号化・復号化部３２と、送信データの変調及び受信データの復調を行う変復調部３３と、基地局制御局１から送信された個別チャネル毎のパラメータをデータ符号化・復号化部３３にそれぞれ登録・設定する制御部３１とを備えている。
【０００７】
次に、移動局３及び無線基地局２による個別チャネルへの従来の切り替え方法について図６を用いて説明する。
【０００８】
例えば移動局３が個別制御チャネルから個別トラヒックチャネルへ切り替える場合、基地局制御局１は、まず無線基地局２に対して、切り替え後に用いる個別トラヒックチャネルの物理チャネル及び論理チャネルのパラメータをReconfigure Prepare messageにて送信する。
【０００９】
無線基地局２は、基地局制御局１から送信された個別トラヒックチャネルのパラメータをデータ符号化・復号化部２２へ登録する。無線基地局２は、パラメータの登録が完了し、チャネルの切り替え準備が完了すると、基地局制御局１に対してReconfigure Ready messageを送信する。
【００１０】
基地局制御局１は、移動局３に対して個別チャネルの切り替えを指示する場合、その移動局３を管理する無線基地局２に対して、チャネルの切り替えタイミングを指示するActivation Timeを、チャネルの切り替えに必要な処理時間を考慮して時間の余裕を持たせた値に設定し、Reconfigure Commit messageにて送信する。
【００１１】
また、基地局制御局１は、個別チャネルの切り替えを指示する移動局３に対して、チャネルの切り替えタイミングを指定するActivation Timeを、チャネルの切り替えに必要な処理時間を考慮して時間の余裕を持たせた値に設定し、切り替え後に用いる個別トラヒックチャネルの物理チャネル及び論理チャネルのパラメータと共にReconfigure Request messageにて送信する。
【００１２】
移動局３は、Reconfigure Request messageを受信すると、基地局制御局１から送信された物理チャネル及び論理チャネルのパラメータを用いて、上り通信（移動局３から無線基地局２方向の通信）用のチャネルを個別制御チャネルから個別トラヒックチャネルへ切り替え、下り通信（無線基地局２から移動局３方向の通信）用のチャネルを個別トラヒックチャネルへ切り替える。このとき、移動局３は、最初に上り通信用及び下り通信用のＴＦＣＩ(Traffic Frame Control Identifier)の値を基地局制御局１から送信されたパラメータに基づいて切り替え、その後、上り通信用及び下り通信用のチャネルを個別トラヒックチャネルへ切り替える。そして、移動局３は、Activation Timeで指定された時間が経過した後、基地局制御局１に対してReconfigure Completion messageを送信し、チャネル切り替え完了を通知する。
【００１３】
一方、無線基地局２は、Reconfigure Commit messageを受信すると、基地局制御局１から送信された物理チャネル及び論理チャネルのパラメータを用いて、下り通信用のチャネルを個別制御チャネルから個別トラヒックチャネルへ切り替え、上り通信用のチャネルを個別トラヒックチャネルへ切り替える。このとき、無線基地局２は、最初に下り通信用及び上り通信用のＴＦＣＩの値を基地局制御局１から送信されたパラメータに基づいて切り替え、その後、下り通信用及び上り通信用のチャネルを個別トラヒックチャネルへ切り替える。そして、Activation Timeで指定された時間が経過した後、移動局３との間で切り替え後の個別トラヒックチャネルを用いた通信を開始する。
【００１４】
なお、特許文献１には、移動局との無線リンクをセットアップする際に、基地局制御局から無線基地局へ送信する情報に送信電力を制御するための情報を含める例が記載されている。
【特許文献１】特開２００２−１９８９０３号公報
【発明の開示】
【発明が解決しようとする課題】
【００１５】
上述したように従来の移動通信システムのチャネル切り替え方法では、個別トラヒックチャネルへの切り替え指示を受信してから、基地局制御局から指定されたActivation Timeが経過した後、音声通信用の個別トラヒックチャネルを用いた通信を開始にしている。この切り替えタイミングを指示するActivation Timeは、チャネルの切り替えに必要な処理時間を考慮して、時間の余裕を持たせた値に設定されているため、この時間の余裕分だけ新しい個別チャネルを用いた通信を開始するまでに余分な時間を要してしまう問題があった。
【００１６】
本発明は上記したような従来の技術が有する問題点を解決するためになされたものであり、個別チャネルの切り替え時間を短縮できるチャネル切り替え方法及び移動通信システムを提供することを目的とする。
【課題を解決するための手段】
【００１７】
上記目的を達成するため本発明のチャネル切り替え方法は、移動局と無線基地局間で無線通信のために用いる個別チャネルを切り替えるためのチャネル切り替え方法であって、
個別チャネルによる通信開始時、基地局制御局からチャネル切り替え前の個別チャネルのパラメータとチャネル切り替え後の個別チャネルのパラメータとを前記無線基地局及び前記移動局にそれぞれ送信し、
前記無線基地局及び前記移動局が、前記基地局制御局から送信されたチャネル切り替え前の個別チャネルのパラメータ及びチャネル切り替え後の個別チャネルのパラメータをそれぞれ登録し、
前記移動局が、前記基地局制御局からチャネル切り替え指示を受信すると、予め登録されたチャネル切り替え後の個別チャネルのパラメータを用いて上り通信用及び下り通信用のチャネルを直ちに切り替え、
無線基地局が、前記基地局制御局からチャネル切り替え指示を受信すると、予め登録されたチャネル切り替え後の個別チャネルのパラメータを用いて下り通信用及び上り通信用のチャネルを直ちに切り替える方法である。
【００１８】
または、移動局と無線基地局間で無線通信のために用いる個別チャネルを切り替えるためのチャネル切り替え方法であって、
個別チャネルによる通信開始時、基地局制御局からチャネル切り替え前の個別チャネルのパラメータとチャネル切り替え後の個別チャネルへの切り替わりを検出するための切替検出情報とを前記無線基地局及び前記移動局にそれぞれ送信し、
前記無線基地局及び前記移動局が、前記基地局制御局から送信されたチャネル切り替え前の個別チャネルのパラメータ及び前記切替検出情報とをそれぞれ登録し、
前記基地局制御局からチャネル切り替え後に用いる個別チャネルのパラメータを前記無線基地局及び前記移動局にそれぞれ送信し、
前記移動局が、前記基地局制御局からチャネル切り替え指示を受信すると、切り替え後の個別チャネルのパラメータを用いて上り通信用のチャネルを直ちに切り替え、前記切替検出情報を切り替え後の上り通信用の個別チャネルを示す値に切り替えて前記無線基地局へ送信し、
無線基地局が、前記移動局から送信された前記切替検出情報により前記上り通信用のチャネルの切り替わりを検出すると、予め登録された切り替え後の個別チャネルのパラメータを用いて下り通信用及び上り通信用のチャネルを直ちに切り替え、前記切替検出情報を切り替え後の下り通信用の個別チャネルを示す値に切り替えて前記移動局へ送信し、
前記移動局は、前記無線基地局から送信された前記切替検出情報により前記下り通信用のチャネルの切り替わりを検出すると、予め登録された切り替え後の個別チャネルのパラメータを用いて下り通信用のチャネルを直ちに切り替える方法である。
【００１９】
一方、本発明の移動通信システムは、個別チャネルによる通信開始時に送信されたチャネル切り替え前の個別チャネルのパラメータ及びチャネル切り替え後の個別チャネルのパラメータをそれぞれ登録し、チャネル切り替え指示を受信すると、予め登録された切り替え後の個別チャネルのパラメータを用いて上り通信用及び下り通信用のチャネルを直ちに切り替える移動局と、
個別チャネルによる通信開始時に送信されたチャネル切り替え前の個別チャネルのパラメータ及びチャネル切り替え後の個別チャネルのパラメータをそれぞれ登録し、チャネル切り替え指示を受信すると、予め登録された切り替え後の個別チャネルのパラメータを用いて下り通信用及び上り通信用のチャネルを直ちに切り替える無線基地局と、
個別チャネルによる通信開始時、チャネル切り替え前の個別チャネルのパラメータとチャネル切り替え後の個別チャネルのパラメータとをそれぞれ前記移動局及び前記無線基地局へ送信し、前記移動局及び前記無線基地局へ前記チャネル切り替え指示を送信する基地局制御局と、
を有する構成である。
【００２０】
または、個別チャネルによる通信開始時に送信されたチャネル切り替え前の個別チャネルのパラメータ及びチャネル切り替え後の個別チャネルへの切り替わりを検出するための切替検出情報をそれぞれ登録し、切り替え後の個別チャネルのパラメータ及びチャネル切り替え指示を受信すると、該パラメータを用いて上り通信用のチャネルを直ちに切り替え、前記切替検出情報を切り替え後の上り通信用の個別チャネルを示す値に切り替えて送信し、受信した前記切替検出情報により前記下り通信用のチャネルの切り替わりを検出すると、チャネル切り替え後の個別チャネルのパラメータを用いて下り通信用のチャネルを直ちに切り替える移動局と、
個別チャネルによる通信開始時に送信されたチャネル切り替え前の個別チャネルのパラメータ及び前記切替検出情報をそれぞれ登録し、前記移動局から送信された前記切替検出情報により前記上り通信用のチャネルの切り替わりを検出すると、予め登録された切り替え後の個別チャネルのパラメータを用いて下り通信用及び上り通信用のチャネルを直ちに切り替え、前記切替検出情報を切り替え後の下り通信用の個別チャネルを示す値に切り替えて前記移動局へ送信する無線基地局と、
個別チャネルによる通信開始時、チャネル切り替え前の個別チャネルのパラメータとチャネル切り替え後の個別チャネルへの切り替わりを検出するための切替検出情報とを前記無線基地局及び前記移動局にそれぞれ送信し、前記移動局へ前記チャネル切り替え指示を送信すると共に、前記チャネル切り替え指示の送信直前に、チャネル切り替え後の個別チャネルのパラメータを前記無線基地局及び前記移動局にそれぞれ送信する基地局制御局と、
を有する構成である。
【００２１】
上記のようなチャネル切り替え方法及び移動通信システムでは、個別チャネルによる通信開始時に、チャネル切り替え前に用いる個別チャネルのパラメータとチャネル切り替え後に用いる個別チャネルのパラメータとが移動局及び無線基地局にそれぞれ登録されるため、移動局及び無線基地局は、基地局制御局からチャネル切り替え指示を受信すると、直ちにチャネルを切り替えて、切り替え後の個別チャネルを用いた通信に移行できる。
【００２２】
または、個別チャネルによる通信開始時に、チャネル切り替え前に用いる個別チャネルのパラメータとチャネル切り替え後に用いる個別チャネルの切替検出情報とが移動局及び無線基地局にそれぞれ登録されるため、移動局は基地局制御局からチャネル切り替え指示を受信すると、直ちにチャネルを切り替えて、切り替え後の個別チャネルを用いた通信に移行できる。また、そのチャネルの切り替えは切替検出情報により無線基地局へ伝わるため、無線基地局は、直ちにチャネルを切り替えて、切り替え後の個別チャネルを用いた通信に移行できる。
【発明の効果】
【００２３】
本発明によれば、基地局制御局によりチャネル切り替え指示が送信されてから、移動局と無線基地局とによる指定された個別チャネルを用いた通信が可能になるまでのチャネルの切り替え時間が短縮される。
【発明を実施するための最良の形態】
【００２４】
次に本発明について図面を参照して説明する。
【００２５】
（第１の実施の形態）
本発明の第１の実施の形態のチャネル切り替え方法は、個別チャネルによる通信開始時、基地局制御局１は、チャネル切り替え前の個別チャネルのパラメータと、チャネル切り替え後に用いる個別チャネルのパラメータとを無線基地局２及び移動局３にそれぞれ送信する。
【００２６】
無線基地局２及び移動局３は、基地局制御局１から送信されたチャネル切り替え前の個別チャネルのパラメータ及びチャネル切り替え後の個別チャネルのパラメータを各々のデータ符号化・復号化部に登録する。
【００２７】
そして、移動局３は、基地局制御局１からチャネル切り替え指示を受信すると、予め登録されたチャネル切り替え後の個別チャネルのパラメータを用いて、上り通信用及び下り通信用のチャネルを切り替える。また、無線基地局２は、基地局制御局１からチャネル切り替え指示を受信すると、予め登録されたチャネル切り替え後の個別チャネルのパラメータを用いて、下り通信用及び上り通信用のチャネルを切り替える。
【００２８】
なお、移動通信システムの構成は、図５に示した従来の構成と同じであるため、ここではその説明を省略する。基地局制御局１が備える制御部１１、無線基地局２が備える制御部２１、データ符号化・復号化部２２及び変復調部２３、並びに移動局３が備える制御部３１、データ符号化・復号化部３２、変復調部３３は、例えば論理回路やメモリ等を用いて構成してもよく、ＣＰＵ（またはＤＳＰ）とメモリとを備え、該メモリに格納されたプログラムにしたがってＣＰＵ（またはＤＳＰ）により基地局制御局１、無線基地局２及び移動局３の各種機能を実現する構成であってもよい。
【００２９】
次に、第１の実施の形態の移動通信システムが備える基地局制御局１、無線基地局２及び移動局３の動作について図１を用いて説明する。
【００３０】
図１は本発明のチャネル切り替え方法の第１の実施の形態の処理手順を示すフローチャートである。
【００３１】
以下、移動局３と無線基地局２間の無線通信に用いるチャネルを個別制御チャネルから個別トラフィックチャネルへ切り替える場合を例にして説明する。
【００３２】
図１に示すように、第１の実施の形態の移動通信システムでは、個別チャネルによる通信開始時、まず基地局制御局１は、移動局３及びそれを管轄する無線基地局２に対して、個別制御チャネルのパラメータ及びチャネル切り替え後に用いる個別トラヒックチャネルのパラメータをそれぞれ送信する。この段階では個別トラヒックチャネルを用いてどのような種類（音声通信、パケット通信、ＩＳＤＮ等）の通信が実施されるか不明であるが、例えば最もチャネル切り替え時間の短縮が要求される音声通信を想定して、音声通信用の個別トラヒックチャネルのパラメータを送信する。
【００３３】
無線基地局２は、基地局制御局１から受信した個別制御チャネル及び個別トラヒックチャネルのパラメータをデータ符号化・復号化部２２にそれぞれ登録し、それぞれの個別チャネルが使用可能になるように設定する。また、移動局３は、基地局制御局１から受信した個別制御チャネル及び個別トラヒックチャネルのパラメータをデータ符号化・復号化部３２にそれぞれ登録し、それぞれの個別チャネルが使用可能になるように設定する（ステップＳ１）。
【００３４】
次に、移動局３が通信を開始し、個別制御チャネルを用いた通信を終了すると、基地局制御局１は、該移動局３で用いる個別トラヒックチャネルの種類を確定し（ステップＳ２）、確定した個別トラヒックチャネルが予め想定した個別チャネルであるか否かを判定する（ステップＳ３）。
【００３５】
確定した個別トラヒックチャネルが予め想定した個別チャネルであった場合、基地局制御局１は、移動局３に対して直ちにこの個別トラヒックチャネルへ切り替えるようにチャネル切り替え指示を送信する（ステップＳ４）。移動局３は、チャネル切り替え指示を受信すると、上り通信用及び下り通信用のチャネルを指定された個別トラヒックチャネルに切り替え、該個別トラヒックチャネルを用いた通信状態に移行する（ステップＳ６）。
【００３６】
一方、確定したトラヒックチャネルが予め想定した個別チャネルでない場合、基地局制御局１は、チャネルの切り替えに必要な処理時間を考慮してActivation Timeを設定し、確定した個別トラヒックチャネルのパラメータを移動局３及び無線基地局２へ送信すると共にActivation Timeを含むチャネル切り替え指示を移動局３及び無線基地局２へ送信する。このとき、移動局３及び無線基地局２は、従来の切り替え方法と同様に、上り通信用及び下り通信用のチャネルを指定された個別トラヒックチャネルへ切り替え、Activation Timeで指定された時間が経過した後、該個別トラヒックチャネルを用いた通信状態に移行する（ステップＳ６）。
【００３７】
本実施形態のチャネル切り替え方法によれば、個別チャネルによる通信開始時に、チャネル切り替え前に用いる個別チャネルのパラメータとチャネル切り替え後に用いる個別チャネルのパラメータとが移動局３及び無線基地局２にそれぞれ登録されるため、移動局３及び無線基地局２は、基地局制御局１からチャネル切り替え指示を受信すると、直ちにチャネルを切り替えて、切り替え後の個別チャネルを用いた通信に移行できる。すなわち、個別制御チャネルの設定時にチャネル切り替え後に用いる個別トラヒックチャネルの設定も行っているため、移動局３と無線基地局２とはいつでもチャネルの切り替えが実施可能な状態にある。したがって、基地局制御局１によりチャネル切り替え指示が送信されてから、移動局３と無線基地局２とによる指定された個別チャネルを用いた通信が可能になるまでのチャネルの切り替え時間が短縮される。
（第２の実施の形態）
次に本発明のチャネル切り替え方法の第２の実施の形態について図面を用いて説明する。
【００３８】
第２実施の形態のチャネル切り替え方法では、個別チャネルによる通信開始時、チャネル切り替え前の個別チャネルのパラメータとチャネル切り替え後に用いる個別チャネルへの切り替えを検出するための切替検出情報を移動局３及び無線基地局２へそれぞれ登録する。切替検出情報としては、チャネル切り替え後に用いる個別チャネルのＴＦＣＳ（Transport Format Combination Set）情報を用いる。そして、チャネル切り替えの直前に、切り替え後に用いる個別チャネルのパラメータを基地局制御局１から無線基地局２及び移動局３へそれぞれ送信する。
【００３９】
移動局３は、基地局制御局１からチャネル切り替え後に用いる個別チャネルのパラメータ及びチャネル切り替え指示を受信すると、予め登録されたＴＦＣＳ情報を基に上りＴＦＣＩを切り替え、送信されたパラメータを用いて上り通信用のチャネルを切り替える。
【００４０】
また、無線基地局２は、移動局３から送信された上りＴＦＣＩを基に上り通信用のチャネルの切り替わりを検出し、ＴＦＣＳ情報を基に上りＴＦＣＩ及び下りＴＦＣＩの値を切り替え、基地局制御局１から送信されたチャネル切り替え後の個別チャネルのパラメータを用いて上り通信用及び下り通信用のチャネルを切り替える。
【００４１】
最後に、移動局３は、移動局３から送信された下りＴＦＣＩの値を基に下り通信用のチャネルの切り替わりを検出し、ＴＦＣＳ情報を基に下りＴＦＣＩの値を切り替え、基地局制御局１から送信されたチャネル切り替え後の個別チャネルのパラメータを用いて下り通信用のチャネルを切り替える。
【００４２】
なお、移動通信システムの構成は図Ａに示した従来の構成と同様であるため、その説明は省略する。基地局制御局１が備える制御部１１、無線基地局２が備える制御部２１、データ符号化・復号化部２２及び変復調部２３、並びに移動局３が備える制御部３１、データ符号化・復号化部３２、変復調部３３は、第１の実施の形態と同様に、例えば論理回路やメモリ等を用いて構成してもよく、ＣＰＵ（またはＤＳＰ）とメモリとを備え、該メモリに格納されたプログラムにしたがってＣＰＵ（またはＤＳＰ）により基地局制御局１、無線基地局２及び移動局３の各種機能を実現する構成であってもよい。
【００４３】
次に、第２の実施の形態の移動通信システムが備える基地局制御局１、無線基地局２及び移動局３の動作について図２を用いて説明する。
【００４４】
図２は本発明のチャネル切り替え方法の第２の実施の形態の処理手順を示すフローチャートである。
【００４５】
以下、移動局３と無線基地局２間の無線通信に用いるチャネルを個別制御チャネルから個別トラフィックチャネルへ切り替える場合を例にして説明する。
【００４６】
図２に示すように、第２の実施の形態の移動通信システムでは、個別チャネルによる通信開始時、まず基地局制御局１は、移動局３及びそれを管轄する無線基地局２に対して、個別制御チャネルのパラメータ及びチャネル切り替え後に用いる個別トラヒックチャネルのＴＦＣＳ情報をそれぞれ送信する。この段階では個別トラヒックチャネルを用いてどのような種類（音声通信、パケット通信、ＩＳＤＮ等）の通信が実施されるか不明であるが、例えば最もチャネル切り替え時間の短縮が要求される音声通信を想定して、音声通信用の個別トラヒックチャネルのＴＦＣＳ情報を送信する。
【００４７】
無線基地局２は、基地局制御局１から受信した個別制御チャネルのパラメータ及び個別トラヒックチャネルのＴＦＣＳ情報をデータ符号化・復号化部２２にそれぞれ登録し、それぞれの個別チャネルが使用可能になるように設定する。また、移動局３は、基地局制御局１から受信した個別制御チャネル及び個別トラヒックチャネルのＴＦＣＳ情報をデータ符号化・復号化部３２にそれぞれ登録し、それぞれの個別チャネルが使用可能になるように設定する（ステップＳ１１）。
【００４８】
次に、移動局３が通信を開始し、個別制御チャネルを用いた通信を終了すると、基地局制御局１は、該移動局３で用いる個別トラヒックチャネルの種類を確定し（ステップＳ１２）、確定した個別トラヒックチャネルのパラメータを移動局３及び無線基地局２へそれぞれ送信する（ステップＳ１３）。
【００４９】
次に、基地局制御局１は、確定した個別トラヒックチャネルが予め想定した個別チャネルであるか否かを判定する（ステップＳ１４）。
【００５０】
確定した個別トラヒックチャネルが予め想定した個別チャネルであった場合、基地局制御局１は、移動局３に対して直ちにこの個別トラヒックチャネルへ切り替えるようにチャネル切り替え指示を送信する（ステップＳ１５）。移動局３は、チャネル切り替え指示を受信すると、上り通信用及び下り通信用のチャネルを指定された個別トラヒックチャネルに切り替え、該個別トラヒックチャネルを用いた通信状態に移行する（ステップＳ１７）。
【００５１】
一方、確定したトラヒックチャネルが予め想定した個別チャネルでない場合、基地局制御局１は、チャネルの切り替えに必要な処理時間を考慮してActivation Timeを設定し、確定した個別トラヒックチャネルのパラメータを移動局３及び無線基地局２へ送信すると共に該Activation Timeを含むチャネル切り替え指示を移動局３及び無線基地局２へ送信する。このとき、移動局３及び無線基地局２は、従来の切り替え方法と同様に、上り通信用及び下り通信用のチャネルを指定された個別トラヒックチャネルへ切り替え（ステップＳ１６）、Activation Timeで指定された時間が経過した後、該個別トラヒックチャネルを用いた通信状態に移行する（ステップＳ６）。このとき、確定した個別トラヒックチャネルに対応してデータ符号化・復号化部２２、３２に登録されたＴＦＣＳ情報は更新される。
【００５２】
本実施形態のチャネル切り替え方法によれば、個別チャネルによる通信開始時に、チャネル切り替え前に用いる個別チャネルのパラメータとチャネル切り替え後に用いる個別チャネルの切替検出情報とが移動局３及び無線基地局２にそれぞれ登録されるため、移動局は基地局制御局からチャネル切り替え指示を受信すると、直ちにチャネルを切り替えて、切り替え後の個別チャネルを用いた通信に移行できる。すなわち、移動局３及び無線基地局２ではチャネル切り替えの処理負荷が軽減しているため、チャネル切り替えに必要な処理時間が短縮する。また、そのチャネルの切り替えは切替検出情報により無線基地局２へ伝わるため、無線基地局２は、直ちにチャネルを切り替えて、切り替え後の個別チャネルを用いた通信に移行できる。したがって、基地局制御局によりチャネル切り替え指示が送信されてから、移動局と無線基地局とによる指定された個別チャネルを用いた通信が可能になるまでのチャネルの切り替え時間が短縮される。
【００５３】
次に、第２の実施の形態のチャネル切り替え方法のうち、移動局３及び無線基地局２による個別トラヒックチャネルへの切り替え手順について図３及び図４を用いてより詳しく説明する。
【００５４】
図３に示すように、例えば移動局３と無線基地局２間のチャネルを個別制御チャネルから個別トラヒックチャネルへ切り替える場合、基地局制御局１は、まず無線基地局２に対して、切り替え後に用いる個別トラヒックチャネルの物理チャネル及び論理チャネルのパラメータをReconfigure Prepare messageにて送信する。
【００５５】
無線基地局２は、基地局制御局１から送信された個別トラヒックチャネルのパラメータをデータ符号化・復号化部２２へ登録する。また、無線基地局２は、パラメータの登録が完了し、チャネルの切り替え準備が完了すると、基地局制御局１に対してReconfigure Ready messageを送信する。
【００５６】
次に、基地局制御局１は、無線基地局２に対して、チャネルの切り替えタイミングを指示するActivation Timeを、チャネル切り替えを直ちに実行することを指示するActivation Time Nowに設定し、Reconfigure Commit messageにて送信する。なお、このReconfigure Commit messageは、従来の切り替え方法と処理手順を統一するために送信しているものであり、送信しなくても以降の処理で問題となることはない。
【００５７】
また、基地局制御局１は、移動局３に対して、チャネルの切り替えタイミングを指示するActivation Timeを、チャネル切り替えを直ちに実行することを示すActivation Time Nowに設定し、切り替え後に用いる個別トラヒックチャネルの物理チャネル及び論理チャネルのパラメータと共にReconfigure Request messageにて送信する。
【００５８】
移動局３は、Reconfigure Request messageを受信すると、ＴＦＣＳ情報に基づいて上り通信用のＴＦＣＩの値を切り替え、無線基地局２との上り通信に使用するチャネルを個別制御チャネルから個別トラヒックチャネルへ切り替える。
【００５９】
一方、無線基地局２は、移動局３から送信される上り通信用のＴＦＣＩの値により、上り通信用のチャネルが個別トラヒックチャネルへ切り替わったことを検出し、ＴＦＣＳ情報に基づいて上り通信用のＴＦＣＩの値を切り替え、移動局３との上り通信に使用するチャネルを個別制御チャネルから個別トラヒックチャネルへ切り替える（新上りチャネル受信）。
【００６０】
また、無線基地局２は、ＴＦＣＳ情報に基づいて下り通信用のＴＦＣＩの値を切り替え、移動局３との下り通信に使用するチャネルを個別制御チャネルから個別トラヒックチャネルへ切り替える。
【００６１】
移動局３は、無線基地局２から送信される下り通信用のＴＦＣＩの値により、下り通信用のチャネルが個別トラヒックチャネルへ切り替わったことを検出し、ＴＦＣＳ情報に基づいて下り通信用のＴＦＣＩの値を切り替え、無線基地局２との下り通信用に使用するチャネルを個別制御チャネルから個別トラヒックチャネルへ切り替える（新下りチャネル受信）。
【００６２】
そして、移動局３は、基地局制御局１に対してReconfigure Completion messageを送信し、チャネル切り替え完了を通知する。
【００６３】
なお、第２の実施の形態のチャネル切り替え方法では、上述したステップＳ１３及びステップＳ１４の処理を同時に実行してもよい。すなわち、確定した個別トラヒックチャネルのパラメータを基地局制御局１から移動局３及び無線基地局２へ送信すると共に、確定した個別トラヒックチャネルが予め想定された個別チャネルであった場合は、移動局３に対して、直ちにその個別トラヒックチャネルへの切り替えを指示してもよい。この場合の処理手順について図４を用いて説明する。
【００６４】
図４に示すように、例えば移動局３が個別制御チャネルから個別トラヒックチャネルへ切り替える場合、基地局制御局１は、まず無線基地局２に対して、切り替え後に用いる個別トラヒックチャネルの物理チャネル及び論理チャネルのパラメータをReconfigure Prepare messageにて送信する。このとき、Reconfigure Prepare messageには、チャネルの切り替えを直ちに実行することを指示するActivation Time Nowを含めて送信する。
【００６５】
無線基地局２は、基地局制御局１から送信された個別トラヒックチャネルのパラメータのデータ符号化・復号化部２２へ登録する。また、無線基地局２は、パラメータの登録が完了し、チャネルの切り替え準備が完了すると、基地局制御局１に対してReconfigure Ready messageを送信する。
【００６６】
次に、基地局制御局１は、移動局３に対して、チャネルの切り替えタイミングを指示するActivation Timeを、チャネル切り替えを直ちに実行することを示すActivation Time Nowに設定し、切り替え後に用いる個別トラヒックチャネルの物理チャネル及び論理チャネルのパラメータと共にReconfigure Request messageにて送信する。
【００６７】
移動局３は、Reconfigure Request messageを受信すると、ＴＦＣＳ情報に基づいて上り通信用のＴＦＣＩの値を切り替え、無線基地局２との上り通信に使用するチャネルを個別制御チャネルから個別トラヒックチャネルへ切り替える。
【００６８】
一方、無線基地局２は、移動局３から送信される上り通信用のＴＦＣＩの値により、上り通信用のチャネルが個別トラヒックチャネルへ切り替わったことを検出し、ＴＦＣＳ情報に基づいて上り通信用のＴＦＣＩの値を切り替え、移動局３との上り通信に使用するチャネルを個別制御チャネルから個別トラヒックチャネルへ切り替える（新上りチャネル受信）。
【００６９】
また、無線基地局２は、ＴＦＣＳ情報に基づいて下り通信用のＴＦＣＩの値を切り替え、移動局３との下り通信に使用するチャネルを個別制御チャネルから個別トラヒックチャネルへ切り替える。
【００７０】
移動局３は、無線基地局２から送信される下り通信用のＴＦＣＩの値により、下り通信用のチャネルが個別トラヒックチャネルへ切り替わったことを検出し、ＴＦＣＳ情報に基づいて下り通信用のＴＦＣＩの値を切り替え、無線基地局２との下り通信用に使用するチャネルを個別制御チャネルから個別トラヒックチャネルへ切り替える（新下りチャネル受信）。
【００７１】
そして、移動局３は、基地局制御局１に対してReconfigure Completion messageを送信し、チャネル切り替え完了を通知する。
【００７２】
なお、本発明のチャネル切り替え方法は、上述した個別制御チャネルから個別トラヒックチャネルへの切り替えだけでなく、例えば個別制御チャネルから個別トラヒックチャネルと個別制御チャネルとを組合せたチャネルへの切り替えにも適用できる。
【図面の簡単な説明】
【００７３】
【図１】本発明のチャネル切り替え方法の第１の実施の形態の処理手順を示すフローチャートである。
【図２】本発明のチャネル切り替え方法の第２の実施の形態の処理手順を示すフローチャートである。
【図３】第２の実施の形態のチャネル切り替え方法における移動局及び無線基地局による個別トラヒックチャネルへの切り替え手順の例を示すシーケンス図である。
【図４】第２の実施の形態のチャネル切り替え方法における移動局及び無線基地局による個別トラヒックチャネルへの切り替え手順の他の例を示すシーケンス図である。
【図５】移動通信システムの一般的な構成を示すブロック図である。
【図６】従来のチャネル切り替え方法における移動局及び無線基地局による個別トラヒックチャネルへの切り替え手順を示すシーケンス図である。
【符号の説明】
【００７４】
１    基地局制御局
２    無線基地局
３    移動局
１１、２１、３１    制御部
２２、３２    データ符号化・復号化部
２３、３３    変復調部
【図１】
2007214637.tif 000003
【図２】
2007214637.tif 000004
【図３】
2007214637.tif 000005
【図４】
2007214637.tif 000006
【図５】
2007214637.tif 000007
【図６】
2007214637.tif 000008